(57)【要約】    【課題】  高ズーム比で全ズーム範囲にわたり良好な光学特性が容易に得られる小型のズームレンズを得ること。    【解決手段】  物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズにおいて、後群に含まれる複数のレンズ群のうち、最も像側には負の屈折力のレンズ群Ｌｎが配置されており、第１レンズ群の焦点距離ｆ１、第２レンズ群の焦点距離ｆ２、広角端における第１レンズ群と第２レンズ群の合成焦点距離ｆ１２、広角端における後群の焦点距離ｆｒｗを各々適切に設定すること。【選択図】    図１
2018197774.tif 000002
【特許請求の範囲】
【請求項１】
物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズであって、
前記後群に含まれる複数のレンズ群のうち、最も像側には負の屈折力のレンズ群Ｌｎが配置されており、
前記第１レンズ群の焦点距離をｆ１、前記第２レンズ群の焦点距離をｆ２、広角端における前記第１レンズ群と前記第２レンズ群の合成焦点距離をｆ１２、広角端における前記後群の焦点距離をｆｒｗとするとき、
−８．０＜ｆ１／ｆ２＜−５．５
−１．０８＜ｆ１２／ｆｒｗ＜−０．９５
なる条件式を満足することを特徴とするズームレンズ。
【請求項２】
無限遠から近距離へのフォーカシングに際して前記第２レンズ群は物体側へ移動することを特徴とする請求項１に記載のズームレンズ。
【請求項３】
広角端におけるバックフォーカスをｓｋｄｗ、広角端における全系の焦点距離をｆｗとするとき、
０．５０＜ｓｋｄｗ／ｆｗ＜０．９０
なる条件式を満足することを特徴とする請求項１又は２に記載のズームレンズ。
【請求項４】
前記レンズ群Ｌｎの焦点距離をｆｎとするとき、
０．１０＜ｆ２／ｆｎ＜０．３０
なる条件式を満足することを特徴とする請求項１乃至３のいずれか１項に記載のズームレンズ。
【請求項５】
前記レンズ群Ｌｎは、１枚の負レンズと１枚の正レンズを有することを特徴とする請求項１乃至４のいずれか１項に記載のズームレンズ。
【請求項６】
望遠端における全系の焦点距離をｆｔ、望遠端における最も物体側のレンズ面から像面までの光軸上の長さをＬｔとするとき、
０．２０＜ｆｔ／Ｌｔ＜０．６０
なる条件式を満足することを特徴とする請求項１乃至５のいずれか１項に記載のズームレンズ。
【請求項７】
前記後群は、物体側から像側へ順に配置された、正の屈折力の第３レンズ群、正の屈折力の第４レンズ群、負の屈折力の第５レンズ群からなることを特徴とする請求項１乃至６のいずれか１項に記載のズームレンズ。
【請求項８】
前記後群は、物体側から像側へ順に配置された、正の屈折力の第３レンズ群、負の屈折力の第４レンズ群、正の屈折力の第５レンズ群、負の屈折力の第６レンズ群からなることを特徴とする請求項１乃至６のいずれか１項に記載のズームレンズ。
【請求項９】
請求項１乃至８のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズに関し、特にデジタルスチルカメラ、デジタルビデオカメラ等の電子写真カメラ、監視カメラ、フィルムカメラ、放送用カメラなどの撮像装置に好適なものである。
【背景技術】
【０００２】
近年、固体撮像素子を用いた撮像装置は小型化され、それに用いられている撮像素子は高画素化されている。
このような撮像装置で用いられる撮像光学系には、高い光学性能を有していること、全系が小型であることが求められる。
【０００３】
これらの要求を満足するズームレンズとして、物体側より像側へ順に正の屈折力の第１レンズ群、負の屈折力の第２レンズ群、複数のレンズ群を含む後群より構成されるポジティブリード型のズームレンズが知られている。
【０００４】
特許文献１、２は、物体側から像側へ順に、正、負、正、正、負の屈折力の第１レンズ群乃至第５レンズ群よりなり、各レンズ群を移動させてズーミングを行い、小型の第４レンズ群でフォーカシングを行うズームレンズを開示している。
特許文献３は、物体側より像側へ順に正、負、正、負、正、負の屈折力の第１レンズ群乃至第６レンズ群より成り、各レンズ群を移動させてズーミングを行い、第６レンズ群を移動させてフォーカシングを行うズームレンズを開示している。
【先行技術文献】
【特許文献】
【０００５】
【特許文献１】特開２０１５−０６４４９１号公報
【特許文献２】特開２０１５−０６９０４０号公報
【特許文献３】特開平０４−１８６２１２号公報
【発明の概要】
【発明が解決しようとする課題】
【０００６】
ポジティブリード型のズームレンズは全系の小型化を図りつつ、大口径比化、広画角化及び高ズーム比化を図ることが比較的容易である。
【０００７】
前述したポジティブリード型のズームレンズにおいては、第２レンズ群に強い負の屈折力を与えることで大きなズーム比を得ている。しかし、広角端において軸外主光線が光軸から離れた位置に第２レンズ群が配置されることになるので、第２レンズ群に強い負の屈折力を与えると軸外収差が増大する傾向がある。
このようなポジティブリード型のズームレンズにおいて、全ズーム範囲で高い光学性能を得る為には、各レンズ群の屈折力、レンズ構成などを適切に設定することが重要となってくる。
【０００８】
この構成が適切でなければ、大口径比化をした際に全系が大型化し、またズームに伴う諸収差の変動が増大してしまうので、全ズーム範囲、及び画面全体にわたり高い解像力を得ることが大変困難となってくる。
【０００９】
例えば大口径比化した際に各レンズ群の屈折力を強めてレンズ群間の距離を詰めてレンズ全長を短くし、全系の小型化を実現しようとすると、全ズーム範囲で高い解像力を得るのが困難になってくる。特にＦナンバーが小さく、明るい大口径比になると少ないレンズ枚数で諸収差を良好に補正することが極めて困難となる。そのため、ズームレンズを構成する各レンズ群の屈折力やレンズ構成を適切に設定することが重要になってくる。
【００１０】
特許文献１、２のズームレンズは、最も像側のレンズ群に負の屈折力を持たせて主点を物体側へ移動させることで、バックフォーカスを短くしつつ、全体の小型化を実現している。しかし、Ｆナンバーが３．５〜５．６程度であり、更なる大口径比化を行なうとすると、球面収差などの高次収差が多く発生し、これらの諸収差の補正が困難となる。また、特許文献１、２では開口絞りよりも像側のレンズ群の構成レンズ枚数が少ない為、軸外主光線が光軸から離れた位置にレンズ面を充分に配置することができず、像面湾曲などの補正が困難となる傾向があった。
【００１１】
本発明は、高ズーム比で全ズーム範囲にわたり良好な光学特性が容易に得られる小型のズームレンズ及びそれを有する撮像装置の提供を目的とする。
【課題を解決するための手段】
【００１２】
本発明のズームレンズは、物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズであって、前記後群に含まれる複数のレンズ群のうち、最も像側には負の屈折力のレンズ群Ｌｎが配置されており、
前記第１レンズ群の焦点距離をｆ１、前記第２レンズ群の焦点距離をｆ２、広角端における前記第１レンズ群と前記第２レンズ群の合成焦点距離をｆ１２、広角端における前記後群の焦点距離をｆｒｗとするとき、
−８．０＜ｆ１／ｆ２＜−５．５
−１．０８＜ｆ１２／ｆｒｗ＜−０．９５
なる条件式を満足することを特徴としている。
【発明の効果】
【００１３】
本発明によれば、高ズーム比で全ズーム範囲にわたり良好な光学特性が容易に得られる小型のズームレンズが得られる。
【図面の簡単な説明】
【００１４】
【図１】実施例１のズームレンズの広角端におけるレンズ断面図
【図２】実施例１のズームレンズの広角端、望遠端における収差図
【図３】実施例２のズームレンズの広角端におけるレンズ断面図
【図４】実施例２のズームレンズの広角端、望遠端における収差図
【図５】実施例３のズームレンズの広角端におけるレンズ断面図
【図６】実施例３のズームレンズの広角端、望遠端における収差図
【図７】実施例４のズームレンズの広角端におけるレンズ断面図
【図８】実施例４のズームレンズの広角端、望遠端における収差図
【図９】本発明の撮像装置の要部概略図
【発明を実施するための形態】
【００１５】
以下に、本発明の好ましい実施形態を添付の図面に基づいて詳細に説明する。本発明のズームレンズは、物体側より像側へ順に配置された、正の屈折力の第１レンズ群、負の屈折力の第２レンズ群、複数のレンズ群を含む後群を有し、ズーミングに際して隣り合うレンズ群の間隔が変化する。後群に含まれる複数のレンズ群のうち、最も像側には負の屈折力のレンズ群Ｌｎが配置されている。
【００１６】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。実施例１はズーム比２．３７、Ｆナンバー２．２６〜２．９１のズームレンズである。
【００１７】
図３は本発明の実施例２のズームレンズの広角端におけるレンズ断面図である。図４（Ａ）、（Ｂ）はそれぞれ実施例２のズームレンズの広角端、望遠端における収差図である。実施例２はズーム比２．３７、Ｆナンバー２．２４〜２．９１のズームレンズである。
【００１８】
図５は本発明の実施例３のズームレンズの広角端におけるレンズ断面図である。図６（Ａ）、（Ｂ）はそれぞれ実施例３のズームレンズの広角端、望遠端における収差図である。実施例３はズーム比２．３６、Ｆナンバー２．２７〜２．９１のズームレンズである。
【００１９】
図７は本発明の実施例４のズームレンズの広角端におけるレンズ断面図である。図８（Ａ）、（Ｂ）はそれぞれ実施例４のズームレンズの広角端、望遠端における収差図である。実施例４はズーム比２．３５、Ｆナンバー２．２５〜２．９１のズームレンズである。図９は本発明の撮像装置の要部概略図である。
【００２０】
各実施例のズームレンズはビデオカメラ、デジタルカメラ、ＴＶカメラ、監視用カメラ、そして銀塩フィルムカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
ＬＲは複数のレンズ群を含む後群である。Ｌｎは後群ＬＲに含まれる複数のレンズ群のうちの最も像側に配置された負の屈折力のレンズ群である。
【００２１】
レンズ断面図において、ＳＰは開口絞りであり、第３レンズ群Ｌ３の物体側に配置されている。ＩＰは像面であり、ビデオカメラやデジタルスチルカメラの撮像光学系として使用する際にはＣＣＤセンサやＣＭＯＳセンサ等の固体撮像素子（光電変換素子）が像面に、銀塩フィルム用カメラのときはフィルム面に相当する感光面が置かれる。
【００２２】
矢印は広角端から望遠端へのズーミング（変倍）に際しての、各レンズ群の移動方向と移動軌跡を示している。フォーカスに関する矢印は無限遠から近距離に合焦する際のレンズ群の移動方向を示している。
【００２３】
収差図のうち球面収差において、実線のｄ-lineはｄ線（波長５８７．６ｎｍ）、破線のｇ-lineはｇ線（波長４３５．８ｎｍ）である。非点収差図において破線のΔＭはｄ線のメリディオナル像面、実線のΔＳはｄ線のサジタル像面である。倍率色収差のｇ-lineはｄ線に対するｇ線である。ωは半画角（撮影画角の半分の値）（度）、ＦｎｏはＦナンバーである。
【００２４】
実施例１、２、４のレンズ断面図において、Ｌ１は正の屈折力の第１レンズ群、Ｌ２は負の屈折力の第２レンズ群、ＬＲは後群である。後群ＬＲは物体側から像側へ順に配置された正の屈折力の第３レンズ群Ｌ３、正の屈折力の第４レンズ群Ｌ４、負の屈折力の第５レンズ群Ｌ５より構成される。実施例１、２、４は５群ズームレンズである。実施例１、２、４ではズーミングに際して第１レンズ群Ｌ１乃至第５レンズ群Ｌ５が移動する。
【００２５】
実施例３のレンズ断面図においてＬ１は正の屈折力の第１レンズ群、Ｌ２は負の屈折力の第２レンズ群、ＬＲは後群である。後群ＬＲは物体側から像側へ順に配置された正の屈折力の第３レンズ群Ｌ３、負の屈折力の第４レンズ群Ｌ４、正の屈折力の第５レンズ群Ｌ５、負の屈折力の第６レンズ群Ｌ６より構成される。実施例３は６群ズームレンズである。実施例３ではズーミングに際して第１レンズ群Ｌ１乃至第６レンズ群Ｌ６が移動する。
【００２６】
各実施例において開口絞りＳＰはズーミングに際して第３レンズ群Ｌ３と一体的に（同一の軌跡で）移動しているが、独立に（異なった軌跡で）移動しても良い。各実施例において開口絞りＳＰの開口径はズーミングの際に一定とすることも、ズーミングに応じて変化させても良い。開口絞りＳＰの開口径をズーミングに際して変化させると、軸外マージナル光線をカットし、コマフレアを低減することができるため、より良好な光学性能を容易に得ることができる。
【００２７】
各実施例のズームレンズは、いずれも物体側から像側へ順に配置された正の屈折力の第１レンズ群Ｌ１、負の屈折力の第２レンズ群Ｌ２、複数のレンズ群を含むレンズ群ＬＲから構成される。また後群ＬＲに含まれる複数のレンズ群のうち最も像側には負の屈折力のレンズ群Ｌｎが配置されている。後群ＬＲの最も像面に近いレンズ群Ｌｎを負の屈折力とすることで主点を物体側へ移動させてバックフォーカスを短縮し、全体の短縮化を図っている。
【００２８】
ズーミングに際しての移動量を減らす為に第２レンズ群Ｌ２に強い負の屈折力を持たせている。第２レンズ群Ｌ２には広角端において、軸外主光線が光軸から高い位置を通過する為、像面湾曲や倍率色収差などの諸収差が発生しやすくなる。
【００２９】
そこで各実施例では、後群ＬＲの最も像側に負の屈折力のレンズ群Ｌｎを配置している。これにより、レンズ群Ｌｎの軸上マージナル光線が光軸に近く、軸外主光線が第２レンズ群Ｌ２と逆の方向に光軸から高い位置を通過するようにしている。これにより、像面湾曲や倍率色収差等を良好に補正している。
【００３０】
本発明のズームレンズは、第１レンズ群Ｌ１の焦点距離をｆ１、第２レンズ群Ｌ２の焦点距離をｆ２、広角端における第１レンズ群Ｌ１と第２レンズ群Ｌ２の合成焦点距離をｆ１２、広角端における後群ＬＲの合成焦点距離をｆｒｗとする。このとき、
−８．０＜ｆ１／ｆ２＜−５．５          ・・・（１）
−１．０８＜ｆ１２／ｆｒｗ＜−０．９５  ・・・（２）
なる条件式を満足している。
【００３１】
次に前述の各条件式の技術的意味について説明する。条件式(１)は第１レンズ群Ｌ１の焦点距離と第２レンズ群Ｌ２の焦点距離の比を規定している。第１レンズ群Ｌ１の焦点距離に対して、第２レンズ群Ｌ２の負の焦点距離が短い（負の焦点距離の絶対値が小さい）ほど、第２レンズ群Ｌ２の負の屈折力が強くなり、ズーミングに際して第２レンズ群Ｌ２の移動量を小さくすることができる。この結果、全系の小型化が容易になる。条件式（１）の上限を越えて、第２レンズ群Ｌ２の負の屈折力が弱くなると、ズーミングに際して第２レンズ群Ｌ２の移動量が増えてしまい、全系の小型化が困難になる。
【００３２】
一方、条件式（１）の下限を下回り、第２レンズ群Ｌ２の負の屈折力が強くなると、ズーミングに際しての第２レンズ群Ｌ２の移動量が減るので、全系の小型化に有利となる。しかし、第２レンズ群Ｌ２より諸収差の発生が多くなり、諸収差の補正が困難となる。また、第１レンズ群Ｌ１の正の屈折力が弱くなることから、第１レンズ群Ｌ１のズーミングに際しての移動量が増えてしまい、好ましくない。好ましくは条件式（１）の数値範囲を以下のようにする方が良い。
【００３３】
−７．５＜ｆ１／ｆ２＜−５．７  ・・・（１ａ）
また、さらに好ましくは条件式（１ａ）の数値範囲を以下のようにする方が良い。
−７．０＜ｆ１／ｆ２＜−５．９  ・・・（１ｂ）
【００３４】
条件式（２）は広角端における後群ＬＲの焦点距離に対する広角端における第１レンズ群Ｌ１と第２レンズ群Ｌ２の合成焦点距離の比を規定している。
【００３５】
本発明のズームレンズにおいては、開口絞りＳＰが実質的に第２レンズ群Ｌ２と後群ＬＲの間に配置される。これより条件式（２）は開口絞りＳＰを挟んだ物体側のレンズ群の焦点距離と像側のレンズ群の焦点距離の比となる。広画角なポジティブリード型のズームレンズは、広角端において開口絞りＳＰの物体側には、合成で負の屈折力の前方レンズ群と、開口絞りＳＰの像側には正の屈折力の後方レンズ群が配置されるレンズ構成となる、所謂逆望遠の屈折力配置を取る。前方レンズ群の負の屈折力を強めることで長いバックフォーカスを得ることが容易となる。
【００３６】
本発明のズームレンズにおいては、所定の長さのバックフォーカスがあれば良い。また、前方レンズ群の負の屈折力が強くなり、正の屈折力の後方レンズ群との屈折力のバランスが崩れると、光学性能が劣化している。特にペッツバール和が増加し、像面湾曲や歪曲などの軸外収差が多く発生し、これらの諸収差の補正が困難となる。条件式（２）の数値範囲を外れると、前方レンズ群と後方レンズ群の屈折力のバランスが崩れ、広角端において像面湾曲、歪曲などの軸外収差が多く発生し、これらの諸収差の補正が困難となるので好ましくない。
【００３７】
好ましくは条件式（２）の数値範囲を以下のようにする方が良い。
−１．０６＜ｆ１２／ｆｒｗ＜−０．９８  ・・・（２ａ）
また、さらに好ましくは条件式（２ａ）の数値範囲を以下のようにする方が良い。
−１．０４＜ｆ１２／ｆｒｗ＜−１．００  ・・・（２ｂ）
【００３８】
以上のような構成とすることで本発明の目的とするズームレンズは得られるが、更に好ましくは次に述べる条件のうち少なくとも１つを満足することが良く、これによれば更なる高い光学性能が容易に得られる。
【００３９】
広角端におけるバックフォーカスをｓｋｄｗ、広角端における全系の焦点距離をｆｗとする。レンズ群Ｌｎは１枚の負レンズと１枚の正レンズを有し、レンズ群Ｌｎの焦点距離をｆｎとする。望遠端における全系の焦点距離をｆｔ、望遠端における最も物体側のレンズ面から像面までの光軸上の長さをＬｔとする。
【００４０】
このとき次の条件式のうち１つ以上を満足するのが良い。
０．５０＜ｓｋｄｗ／ｆｗ＜０．９０  ・・・（３）
０．１０＜ｆ２／ｆｎ＜０．３０      ・・・（４）
０．２０＜ｆｔ／Ｌｔ＜０．６０      ・・・（５）
【００４１】
次に前述の各条件式の技術的意味について説明する。条件式（３）は広角端における全系の焦点距離に対するバックフォーカスの比を規定している。本発明のズームレンズは広角端においてバックフォーカスを適切に設定することでレンズ全長の短縮を図っている。条件式（３）が小さい値となると全系の小型化に有利となる。
【００４２】
しかし、条件式(３)の下限を下回ってバックフォーカスが短くなりすぎると、軸外主光線の像面への入射角がきつくなってしまい、画像の周辺部が中心部に比べて暗くなるシェーディングが顕著となり、この補正が困難となるので好ましくない。一方、条件式（３）の上限を越えて、バックフォーカスが増大するとレンズ全長が長くなってしまうので好ましくない。好ましくは条件式（３）の数値範囲とする方が良い。
【００４３】
０．６０＜ｓｋｄｗ／ｆｗ＜０．８０  ・・・（３ａ）
また、さらに好ましくは条件式（３ａ）の数値範囲を以下のようにする方が良い。
０．６５＜ｓｋｄｗ／ｆｗ＜０．７５  ・・・（３ｂ）
【００４４】
条件式（４）は第２レンズ群Ｌ２の焦点距離と後群ＬＲ内の最も像側に配置される負の屈折力のレンズ群Ｌｎの焦点距離の比を規定している。
【００４５】
本発明のズームレンズは第２レンズ群Ｌ２の負の屈折力を強めることで第２レンズ群Ｌ２のズーミングに際しての移動量を少なくして、レンズ全長の小型化を図っている。特に広角端において第２レンズ群Ｌ２より発生する軸外収差を軸上マージナル光線が低く、軸外主光線の入射高が高くなる位置に配置されているレンズ群Ｌｎで補正している。
【００４６】
条件式（４）の下限を下回り第２レンズ群Ｌ２の負の屈折力が強まると、第２レンズ群Ｌ２のズーミングに際しての移動量が減ることでレンズ全長の小型化に有利となる。しかしながら、レンズ群Ｌｎの負の屈折力が弱くなってしまい、収差補正のバランスが崩れてしまうので好ましくない。
【００４７】
一方、条件式（４）の上限を上回り、第２レンズ群Ｌ２の負の屈折力が弱くなると、第２レンズ群Ｌ２のズーミングに際しての移動量が増大すると共にレンズ全長が長くなってくるので好ましくない。好ましくは条件式（４ａ）の数値範囲とする方が良い。
０．１３＜ｆ２／ｆｎ＜０．２８  ・・・（４ａ）
また、さらに好ましくは条件式（４ａ）の数値範囲を以下のようにする方が良い。
０．１７＜ｆ２／ｆｎ＜０．２６  ・・・（４ｂ）
【００４８】
条件式（５）は望遠端における全系の焦点距離と全系のレンズ全長の比を規定している。条件式（５）の上限を越えて、望遠端におけるレンズ全長に対して全系の焦点距離が長くなると、レンズ全長が短く全系が小型になる。しかしながら各レンズ群の屈折力の絶対値が非常に大きくなり、各レンズ群より諸収差が多く発生し、諸収差の補正が困難となる為、好ましくない。
【００４９】
一方、条件式（５）の下限を下回り、望遠端における全系の焦点距離に対するレンズ全長が長くなると、全系が大型化するので好ましくない。好ましくは条件式（５）の数値範囲は以下のようにする方が良い。
０．２５＜ｆｔ／Ｌｔ＜０．５５  ・・・（５ａ）
また、さらに好ましくは条件式（５ａ）の数値範囲を以下のようにする方が良い。
０．３０＜ｆｔ／Ｌｔ＜０．５０  ・・・（５ｂ）
【００５０】
次に各実施例のレンズ構成について説明する。まず、各実施例で共通しているレンズ構成を説明する。各実施例では、物体側から像側へ順に配置された正の屈折力の第１レンズ群Ｌ１、負の屈折力の第２レンズ群Ｌ２、開口絞りＳＰ、複数のレンズ群を含み全体で正の屈折力の後群ＬＲを有している。無限遠から近距離へのフォーカシングに際しては第２レンズ群は物体側へ移動する。また、後群ＬＲ内の最も像側に配置されたレンズ群Ｌｎは負の屈折力を有している。次に各実施例におけるレンズ構成について説明する。
【００５１】
［実施例１］
図１を参照して、本発明の実施例１のレンズ構成について説明する。実施例１では、後群ＬＲが第３レンズ群Ｌ３、第４レンズ群Ｌ４、第５レンズ群Ｌ５で構成されている。実施例１においては、後群ＬＲの最も像側に配置される負の屈折力のレンズ群Ｌｎは第５レンズ群Ｌ５である。実施例１のズームレンズの最も像側のレンズ群を負の屈折力とすることで主点を物体側へ移動させ、レンズ面と像面との距離であるバックフォーカスを短縮させて全系の小型化を図っている。
【００５２】
第１レンズ群Ｌ１は、物体側に凸面を向けたメニスカス形状の負レンズと正レンズを接合した接合レンズ、物体側に凸面を向けたメニスカス形状の正レンズから構成されている。この構成により、コマ収差や望遠端における球面収差などの諸収差を良好に補正している。第２レンズ群Ｌ２は物体側の面が非球面形状で、像側に負の屈折力を持った負レンズ、両面が凹形状の負レンズ、両面が凹形状の負レンズと正レンズを接合した接合レンズ、正レンズ、負レンズから構成されている。この構成により、全ズーム範囲、全物体距離において収差変動を少なくして、良好な光学性能を達成している。
【００５３】
第３レンズ群Ｌ３は、物体側に凸面を向けた負レンズと正レンズを接合した接合レンズ、物体側が凸形状の正レンズ、像側が非球面形状で、像側に凹面を向けた負レンズ、物体側に凹面を向けた負レンズで構成されている。正レンズよりも負レンズの枚数が多い構成を取ることで正レンズから発生する収差を夫々の負レンズが補正する収差量を分担している。
【００５４】
加えて負レンズの夫々の屈折力を分担することで曲率半径、屈折率を小さくして収差の補正を容易にしている。また、全ズーム範囲で軸上マージナル光線が光軸から離れる位置に第３レンズ群Ｌ３を配置している。第３レンズ群Ｌ３をこのように構成することで、大口径比化を行った際に発生する高次の球面収差を良好に補正している。
【００５５】
第４レンズ群Ｌ４は両面が凸形状の２枚の正レンズ、像側が非球面形状で両面が凹形状の負レンズ、両面が凹形状の負レンズと像側が非球面形状の正レンズを接合した接合レンズから構成されている。第５レンズ群Ｌ５は両面が凹形状の負レンズと正レンズを接合した接合レンズから構成されている。この構成により、第２レンズ群Ｌ２より発生する倍率色収差を良好に補正している。
【００５６】
また、広角端から望遠端へのズーミングに際し、第１レンズ群Ｌ１が物体側へ移動し、第２レンズ群Ｌ２が像側へ移動することで第１レンズ群Ｌ１と第２レンズ群Ｌ２の間隔が広がっている。また、第３レンズ群Ｌ３、第４レンズ群Ｌ４、第５レンズ群Ｌ５が夫々物体側へ移動している。
【００５７】
［実施例２］
以下、図３を参照して、本発明の実施例２のレンズ構成について説明する。実施例２では、後群ＬＲが第３レンズ群Ｌ３、第４レンズ群Ｌ４、第５レンズ群Ｌ５で構成されている。実施例２においては、後群ＬＲの最も像側に配置される負の屈折力のレンズ群Ｌｎは第５レンズ群Ｌ５である。
【００５８】
第１レンズ群Ｌ１は、物体側が凸面のメニスカス形状の負レンズと正レンズを接合した接合レンズ、物体側に凸面を向けたメニスカス形状の正レンズから構成されている。第２レンズ群Ｌ２は物体側が非球面形状で、像側に負の屈折力を持った負レンズ、両面が凹形状の負レンズ、両面が凹形状の負レンズと正レンズを接合した接合レンズ、像側に凸面を向けたメニスカス形状の負レンズから構成されている。第３レンズ群Ｌ３は、物体側に凸面を向けたメニスカス形状の負レンズと正レンズを接合した接合レンズ、正レンズ、像側が非球面形状の負レンズ、物体側に凹面を向けた負レンズで構成されている。
【００５９】
第４レンズ群Ｌ４は両面が凸形状の２枚の正レンズ、像側が非球面形状の負レンズ、負レンズと像側が非球面形状の正レンズを接合した接合レンズから構成されている。第５レンズ群Ｌ５は両面が凹形状の負レンズ、物体側が凸面のメニスカス形状の正レンズから構成されている。
【００６０】
［実施例３］
以下、図５を参照して、本発明の実施例３のレンズ構成について説明する。実施例３では、後群ＬＲが第３レンズ群Ｌ３、第４レンズ群Ｌ４、第５レンズ群Ｌ５、第６レンズ群Ｌ６で構成されている。実施例３においては、後続レンズ群ＬＲの最も像側に配置される負の屈折力のレンズ群Ｌｎは第６レンズ群Ｌ６である。
【００６１】
第１レンズ群Ｌ１は、物体側が凸面のメニスカス形状の負レンズと正レンズを接合した接合レンズ、物体側に凸面を向けたメニスカス形状の正レンズから構成されている。第２レンズ群Ｌ２は物体側が非球面形状で、像側に負の屈折力を持った負レンズ、両面が凹形状の負レンズ、両面が凹形状の負レンズと、正レンズを接合した接合レンズ、正レンズ、負レンズから構成されている。第３レンズ群Ｌ３は、物体側に凸面を向けた負レンズと正レンズを接合した接合レンズで構成されている。
【００６２】
第４レンズ群Ｌ４は物体側が凸形状の正レンズ、像側が非球面形状で、像側に凹面を向けた負レンズ、物体側に凹面を向けた負レンズで構成されている。第５レンズ群Ｌ５は両面が凸形状の２枚の正レンズ、像側が非球面形状で両面が凹形状の負レンズ、両面が凹形状の負レンズと像側が非球面形状の正レンズを接合した接合レンズから構成されている。第６レンズ群Ｌ６は両面が凹形状の負レンズと正レンズを接合した接合レンズから構成されている。
【００６３】
また、広角端から望遠端へのズーミングに際し、第１レンズ群Ｌ１が物体側へ移動し、第２レンズ群Ｌ２が像側へ移動することで第１レンズ群Ｌ１と第２レンズ群Ｌ２の間隔が広がっている。また、第３レンズ群Ｌ３、第４レンズ群Ｌ４、第５レンズ群Ｌ５、第６レンズ群Ｌ６が夫々物体側へ移動している。
【００６４】
［実施例４］
図７を参照して、本発明の実施例４のレンズ構成について説明する。実施例４では、後群ＬＲが第３レンズ群Ｌ３、第４レンズ群Ｌ４、第５レンズ群Ｌ５で構成されている。実施例４においては、後群ＬＲの最も像側に配置される負の屈折力のレンズ群Ｌｎは第５レンズ群Ｌ５である。
【００６５】
第１レンズ群Ｌ１は、物体側に凸面を向けたメニスカス形状の負レンズと正レンズを接合した接合レンズ、物体側に凸面を向けたメニスカス形状の正レンズから構成されている。第２レンズ群Ｌ２は物体側が非球面形状で、像側に負の屈折力を持った負レンズ、両面が凹形状の負レンズ、両面が凹形状の負レンズと正レンズを接合した接合レンズ、正レンズ、負レンズから構成されている。第３レンズ群Ｌ３は、物体側に凸面を向けた負レンズと正レンズを接合した接合レンズ、両面が凸形状の正レンズ、像側が非球面形状で像側に凹面を向けた負レンズ、物体側に凹面を向けた負レンズで構成されている。
【００６６】
第４レンズ群Ｌ４は両面が凸形状の２枚の正レンズ、像側が非球面形状で両面が凹形状の負レンズ、両面が凹形状の負レンズと像側に非球面形状の正レンズを接合した接合レンズから構成されている。第５レンズ群Ｌ５は両面が凹形状の負レンズと正レンズを接合した接合レンズから構成されている。
【００６７】
また、広角端から望遠端へのズーミングに際し、第１レンズ群Ｌ１が物体側へ移動し、第２レンズ群Ｌ２が像側へ移動することで第１レンズ群Ｌ１と第２レンズ群Ｌ２の間隔が広がっている。また、第３レンズ群Ｌ３、第４レンズ群Ｌ４、第５レンズ群Ｌ５が夫々物体側へ移動している。
【００６８】
次に本発明のズームレンズを撮像光学系として用いたデジタルスチルカメラ（撮像装置）の実施例に関して図９を用いて説明する。
【００６９】
図９において、１０はカメラ本体、１１は本発明のズームレンズによって構成された撮像光学系である。１２はカメラ本体な内蔵され、撮像光学系１１によって形成された被写体像を受光するＣＣＤセンサやＣＭＯＳセンサ等の固体撮像素子（光電変換素子）である。
【００７０】
次に本発明の実施例１乃至４にそれぞれ対応する数値データ１乃至４を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。
【００７１】
ＢＦはバックフォーカスであり、最終レンズ面から近軸像面までの距離を空気換算長として表したものである。レンズ全長は第１レンズ面から最終レンズ面までの長さにバックフォーカスＢＦの値を加えた長さである。＊は非球面を意味する。またｋは離心率である。Ａ４、Ａ６、Ａ８、Ａ１０、Ａ１２は非球面係数である。非球面形状は、面頂点を基準にして光軸からの高さｈの位置における光軸方向の変位をｘとするとき、
ｘ＝（ｈ2／Ｒ）／［１＋｛１−（１＋ｋ）（ｈ／Ｒ）2｝1/2］＋Ａ４×ｈ4＋Ａ６×ｈ6
＋Ａ８×ｈ8＋Ａ１０×ｈ10＋Ａ１２×ｈ12
で表される。
【００７２】
但しＲは近軸曲率半径である。「ｅ−ｘ」は「１０-x」を意味している。各数値データにおける上述した各条件式とパラメータとの対応を表１に示す。 
【００７３】
［数値データ１］
単位 mm
面データ
面番号       r        d      nd         νd       有効径
1        124.697    1.87   1.85478    24.8       82.36
2         80.530   10.11   1.49700    81.5       77.17
3        507.325    1.00                         75.88
4         54.737    9.35   1.59522    67.7       67.33
5        146.676  (可変)                         65.77
6*       103.102    2.00   1.55332    71.7       44.75
7         18.344    9.44                         30.30
8        -90.538    2.00   1.58913    61.1       29.93
9        109.450    4.81                         26.91
10        -48.582    2.00   1.58913    61.1       24.27
11         28.098    3.36   1.74950    35.3       22.04
12       9587.206    0.66                         21.56
13      -1277.727    1.57   1.80518    25.4       21.09
14       -111.804    3.15                         20.69
15        -22.285    2.00   1.64000    60.1       21.03
16        -32.405  (可変)                         22.62
17(絞り)    ∞       0.34                         24.63
18         24.842    1.76   1.85478    24.8       26.91
19         21.215    5.14   1.59522    67.7       26.15
20        230.293    0.89                         26.01
21         47.086    2.95   1.49700    81.5       25.64
22       2698.974    0.38                         25.29
23         93.245    1.58   1.76802    49.2       24.77
24*        44.951    3.51                         23.80
25        -49.748    1.30   1.72047    34.7       23.79
26        -77.463  (可変)                         24.12
27         25.163    5.89   1.43875    94.9       24.59
28       -115.589    0.88                         24.03
29         38.987    5.38   1.53775    74.7       24.46
30        -69.481    0.68                         24.11
31       -119.370    1.87   1.76802    49.2       23.61
32*        88.586    1.45                         23.06
33       -349.038    1.25   1.85400    40.4       23.08
34         21.496    7.28   1.55332    71.7       23.76
35*       -36.665  (可変)                         24.55
36        -38.155    2.00   1.53775    74.7       25.97
37         30.787    4.03   1.74950    35.3       29.90
38        135.812                                 30.16
像面        ∞   
【００７４】
非球面データ
第6面
K = 0.00000e+000  A 4= 3.54364e-006  A 6=-2.28371e-009  A 8= 6.59402e-012  A10=-9.15886e-015  A12= 1.08663e-017  
第24面
K = 0.00000e+000  A 4= 1.22800e-005  A 6= 1.87008e-008  A 8= 3.34108e-011  A10= 2.18542e-013  A12= 1.02835e-016  
第32面
K = 0.00000e+000  A 4= 1.81324e-005  A 6= 3.30095e-008  A 8=-2.20578e-010  A10= 2.43717e-012  A12=-3.79206e-015  
第35面
K = 0.00000e+000  A 4= 8.65896e-006  A 6=-3.28848e-008  A 8= 4.17946e-010  A10=-1.87108e-012  
【００７５】
各種データ
ズーム比     2.37 
広角     中間     望遠
焦点距離      28.68    44.13    67.90  
Fナンバー      2.26     2.63     2.91  
半画角（度）  37.03    26.12    17.67  
像高          21.64    21.64    21.64  
レンズ全長   149.69   159.09   174.43  
BF            20.57    29.09    35.45  
d 5            3.29    14.93    30.53  
d16           14.05     6.54     1.76  
d26            5.63     2.53     0.94  
d35            4.28     4.12     3.89  
入射瞳位置    49.14    71.90   116.87  
射出瞳位置   -38.15   -34.10   -32.15  
前側主点位置  63.81    85.21   116.57  
後側主点位置  -8.11   -15.03   -32.45  
ズームレンズ群データ
群  始面    焦点距離  レンズ構成長  前側主点位置  後側主点位置
1    1     118.76        22.33         3.10        -11.37
2    6     -19.46        30.99         6.42        -17.94
3   17      52.42        17.83        -5.01        -16.47
4   27      38.12        24.68         2.91        -15.68
5   36     -78.13         6.03         0.85         -2.71
単レンズデータ
レンズ  始面  焦点距離
1       1   -271.28
2       2    191.10
3       4    141.35
4       6    -40.67
5       8    -83.80
6      10    -29.93
7      11     37.59
8      13    152.08
9      15   -120.81
10      18   -218.95
11      19     38.90
12      21     96.39
13      23   -114.63
14      25   -196.85
15      27     47.71
16      29     47.26
17      31    -65.95
18      33    -23.67
19      34     25.63
20      36    -31.37
21      37     52.26
フォーカス
広角
無限遠 至近(380mm)
d5     3.29   0.30
中間
無限遠 至近(380mm)
d5     14.93  11.09
望遠
無限遠 至近(380mm)
d5     30.53  24.87
【００７６】
［数値データ２］
単位 mm
面データ
面番号       r        d      nd         νd       有効径
1        143.049    1.87   1.84666    23.8       83.20
2         90.061    8.98   1.53775    74.7       78.33
3        557.138    1.00                         76.90
4         52.706    9.19   1.53775    74.7       64.42
5        146.017  (可変)                         62.78
6*       113.662    2.00   1.55332    71.7       46.11
7         18.448    9.08                         30.97
8       -273.341    2.00   1.49700    81.5       30.56
9         67.894    3.95                         27.01
10        -42.972    1.50   1.58913    61.1       26.37
11         30.977    3.76   1.85026    32.3       24.04
12       -209.738    5.32                         23.59
13        -21.903    1.99   1.65160    58.5       20.90
14        -30.020  (可変)                         22.45
15(絞り)    ∞       0.13                         24.43
16         27.366    1.76   1.80518    25.4       26.24
17         23.138    4.45   1.59522    67.7       25.72
18        180.113    1.00                         25.64
19         38.469    3.40   1.49700    81.5       25.50
20      -3276.064    0.10                         25.19
21        145.737    1.58   1.76802    49.2       24.93
22*        47.296    3.38                         24.07
23        -49.769    1.30   1.72047    34.7       24.07
24        -68.804  (可変)                         24.43
25         27.611    6.48   1.49700    81.5       25.07
26        -76.156    0.30                         24.42
27         46.024    5.18   1.59522    67.7       24.56
28        -72.611    0.10                         24.13
29       -100.122    1.87   1.76802    49.2       23.94
30*        68.373    1.62                         23.28
31       -483.880    1.25   1.85400    40.4       23.30
32         25.844    5.41   1.55332    71.7       23.91
33*       -49.734  (可変)                         24.37
34       -107.231    2.00   1.49700    81.5       25.50
35         57.595    6.24                         26.94
36         45.335    4.10   1.84666    23.8       33.29
37         58.337                                 33.34
像面        ∞   
【００７７】
非球面データ
第6面
K = 0.00000e+000  A 4= 3.82952e-006  A 6=-2.35841e-009  A 8= 6.97910e-012  A10=-9.84110e-015  A12= 1.09151e-017  
第22面
K = 0.00000e+000  A 4= 9.77434e-006  A 6= 6.57964e-009  A 8= 5.16528e-011  A10=-1.90305e-014  A12= 4.15680e-017  
第30面
K = 0.00000e+000  A 4= 1.51821e-005  A 6= 4.17287e-008  A 8=-2.60811e-010  A10= 2.37380e-012  A12=-3.34393e-015  
第33面
K = 0.00000e+000  A 4= 1.05428e-005  A 6=-3.12520e-008  A 8= 3.52963e-010  A10=-1.68501e-012  
【００７８】
各種データ
ズーム比     2.37 
広角     中間     望遠
焦点距離      28.62    44.08    67.90  
Fナンバー      2.24     2.59     2.91  
半画角（度）  37.09    26.14    17.67  
像高          21.64    21.64    21.64  
レンズ全長   150.00   159.07   174.67  
BF            19.60    29.31    38.59  
d 5            3.60    15.28    29.97  
d14           15.31     7.03     1.66  
d24            6.79     3.62     1.99  
d33            2.45     1.57     0.20  
入射瞳位置    48.84    70.81   110.16  
射出瞳位置   -45.71   -40.20   -37.10  
前側主点位置  64.92    86.93   117.15  
後側主点位置  -9.02   -14.77   -29.31  
ズームレンズ群データ
群  始面    焦点距離  レンズ構成長  前側主点位置  後側主点位置
1    1     122.05        21.03         2.54        -11.12
2    6     -20.53        29.59         6.24        -17.33
3   15      56.45        17.09        -4.69        -15.83
4   25      39.23        22.21         0.60        -14.58
5   34    -116.86        12.34         0.90         -8.61
単レンズデータ
レンズ  始面  焦点距離
1       1   -291.89
2       2    198.44
3       4    148.27
4       6    -40.10
5       8   -109.22
6      10    -30.33
7      11     31.97
8      13   -137.65
9      16   -228.35
10      17     44.14
11      19     76.53
12      21    -91.81
13      23   -257.02
14      25     41.64
15      27     48.11
16      29    -52.65
17      31    -28.70
18      32     31.54
19      34    -75.09
20      36    209.90
フォーカス
広角
無限遠 至近(380mm)
d5     3.60   0.30
中間
無限遠 至近(380mm)
d5     15.28  11.08
望遠
無限遠 至近(380mm)
d5     29.97  23.99
【００７９】
［数値データ３］
単位 mm
面データ
面番号       r        d      nd         νd       有効径
1        124.546    1.87   1.85478    24.8       82.19
2         80.583   10.12   1.49700    81.5       77.05
3        514.812    1.00                         75.97
4         54.741    9.36   1.59522    67.7       67.36
5        146.877  (可変)                         65.80
6*       103.673    2.00   1.55332    71.7       44.77
7         18.386    9.53                         30.36
8        -90.747    2.00   1.58913    61.1       29.85
9        109.536    4.74                         26.86
10        -48.497    2.00   1.58913    61.1       24.31
11         27.947    3.42   1.74950    35.3       22.09
12       8967.645    0.63                         21.60
13      -1177.961    1.63   1.80518    25.4       21.16
14       -112.702    3.30                         20.68
15        -22.282    2.00   1.64000    60.1       21.06
16        -32.358  (可変)                         22.65
17(絞り)    ∞       0.23                         24.69
18         24.839    1.76   1.85478    24.8       26.91
19         21.278    5.13   1.59522    67.7       26.16
20        231.318  (可変)                         26.02
21         47.044    2.95   1.49700    81.5       25.64
22       2852.776    0.37                         25.29
23         93.158    1.58   1.76802    49.2       24.77
24*        44.973    3.48                         23.79
25        -49.600    1.30   1.72047    34.7       23.79
26        -77.727  (可変)                         24.12
27         25.167    5.89   1.43875    94.9       24.60
28       -115.700    0.88                         24.04
29         39.024    5.36   1.53775    74.7       24.47
30        -69.619    0.66                         24.12
31       -119.228    1.87   1.76802    49.2       23.63
32*        88.545    1.45                         23.08
33       -351.186    1.25   1.85400    40.4       23.10
34         21.414    7.31   1.55332    71.7       23.77
35*       -36.653  (可変)                         24.57
36        -38.097    2.00   1.53775    74.7       26.02
37         30.705    4.14   1.74950    35.3       29.98
38        138.261                                 30.25
像面        ∞   
【００８０】
非球面データ
第6面
K = 0.00000e+000  A 4= 3.59424e-006  A 6=-2.55909e-009  A 8= 7.56618e-012  A10=-1.08330e-014  A12= 1.16769e-017  
第24面
K = 0.00000e+000  A 4= 1.23703e-005  A 6= 1.89202e-008  A 8= 3.38639e-011  A10= 2.29993e-013  A12= 6.16266e-017  
第32面
K = 0.00000e+000  A 4= 1.79548e-005  A 6= 3.26411e-008  A 8=-2.25063e-010  A10= 2.42921e-012  A12=-3.90741e-015  
第35面
K = 0.00000e+000  A 4= 8.45223e-006  A 6=-3.15408e-008  A 8= 4.00275e-010  A10=-1.76868e-012  
【００８１】
各種データ
ズーム比     2.36 
広角     中間     望遠
焦点距離      28.82    44.24    67.90  
Fナンバー      2.27     2.63     2.91  
半画角（度）  36.90    26.06    17.67  
像高          21.64    21.64    21.64  
レンズ全長   150.08   159.44   174.76  
BF            20.56    29.08    35.42  
d 5            3.29    14.84    30.36  
d16           13.96     6.53     1.80  
d20            0.97     0.94     0.92  
d26            5.71     2.64     1.10  
d35            4.40     4.22     3.96  
入射瞳位置    49.29    71.97   116.91  
射出瞳位置   -38.36   -34.28   -32.37  
前側主点位置  64.01    85.32   116.80  
後側主点位置  -8.26   -15.15   -32.48  
ズームレンズ群データ
群  始面    焦点距離  レンズ構成長  前側主点位置  後側主点位置
1    1     118.35        22.34         3.11        -11.37
2    6     -19.42        31.24         6.48        -18.02
3   17      49.24         7.12        -0.87         -5.19
4   21    -349.50         9.67        22.32         13.76
5   27      38.23        24.68         2.92        -15.67
6   36     -78.72         6.14         0.85         -2.77
単レンズデータ
レンズ  始面  焦点距離
1       1   -272.42
2       2    190.75
3       4    141.26
4       6    -40.73
5       8    -83.93
6      10    -29.81
7      11     37.40
8      13    154.67
9      15   -121.20
10      18   -224.74
11      19     39.01
12      21     96.21
13      23   -114.84
14      25   -193.99
15      27     47.72
16      29     47.32
17      31    -65.90
18      33    -23.60
19      34     25.58
20      36    -31.30
21      37     51.81
フォーカス
広角
無限遠 至近(380mm)
d5     3.29   0.30
中間
無限遠 至近(380mm)
d5     14.84  11.01
望遠
無限遠 至近(380mm)
d5     30.36  24.71
【００８２】
［数値データ４］
単位 mm
面データ
面番号       r        d      nd         νd       有効径
1        126.480    1.87   1.85478    24.8       81.94
2         85.129    9.35   1.49700    81.5       78.65
3        427.779    1.00                         77.80
4         57.854    9.23   1.59522    67.7       69.49
5        137.663  (可変)                         67.61
6*        73.563    2.00   1.55332    71.7       43.39
7         17.746   11.39                         29.97
8        -85.618    2.00   1.58913    61.1       26.18
9         90.833    3.83                         23.41
10        -40.095    2.00   1.58913    61.1       21.74
11         30.396    2.76   1.74950    35.3       20.14
12      -1218.765    0.60                         20.47
13       4748.952    1.45   1.80518    25.4       20.85
14       -128.777    2.69                         21.16
15        -20.071    2.00   1.64000    60.1       21.20
16        -25.686  (可変)                         22.90
17(絞り)    ∞       0.10                         24.47
18         24.860    1.76   1.85478    24.8       26.72
19         21.180    5.11   1.59522    67.7       26.00
20        243.752    1.04                         25.88
21         47.089    2.98   1.49700    81.5       25.55
22      -8114.666    0.38                         25.23
23         92.532    1.58   1.76802    49.2       24.72
24*        45.108    3.44                         23.79
25        -50.563    1.30   1.72047    34.7       23.78
26        -75.627  (可変)                         24.13
27         25.082    5.82   1.43875    94.9       24.57
28       -118.895    0.69                         24.04
29         38.492    5.50   1.53775    74.7       24.39
30        -71.056    0.60                         24.02
31       -118.399    1.87   1.76802    49.2       23.59
32*        89.357    1.44                         23.07
33       -366.885    1.25   1.85400    40.4       23.09
34         21.456    7.80   1.55332    71.7       23.77
35*       -36.369  (可変)                         24.78
36        -40.925    2.00   1.53775    74.7       26.20
37         32.173    4.27   1.74950    35.3       29.83
38        137.272                                 30.21
像面        ∞   
【００８３】
非球面データ
第6面
K = 0.00000e+000  A 4= 3.22233e-006  A 6=-1.79337e-009  A 8= 7.50819e-012  A10=-1.12107e-014  A12= 1.47185e-017  
第24面
K = 0.00000e+000  A 4= 1.23479e-005  A 6= 1.93186e-008  A 8= 3.32588e-011  A10= 2.26724e-013  A12= 1.41153e-016  
第32面
K = 0.00000e+000  A 4= 1.84053e-005  A 6= 3.14491e-008  A 8=-2.27450e-010  A10= 2.44136e-012  A12=-4.40951e-015  
第35面
K = 0.00000e+000  A 4= 8.15654e-006  A 6=-2.89246e-008  A 8= 3.43569e-010  A10=-1.49506e-012  
【００８４】
各種データ
ズーム比     2.35 
広角     中間     望遠
焦点距離      28.84    44.14    67.90  
Fナンバー      2.25     2.62     2.91  
半画角（度）  36.88    26.11    17.67  
像高          21.64    21.64    21.64  
レンズ全長   146.94   157.60   175.00  
BF            20.75    28.77    34.64  
d 5            3.87    16.60    34.15  
d16           11.89     4.68     0.10  
d26            5.24     1.96     0.10  
d35            4.10     4.50     4.92  
入射瞳位置    48.58    72.24   119.94  
射出瞳位置   -38.86   -34.60   -32.57  
前側主点位置  63.47    85.64   119.25  
後側主点位置  -8.09   -15.36   -33.26  
ズームレンズ群データ
群  始面    焦点距離  レンズ構成長  前側主点位置  後側主点位置
1    1     132.36        21.45         1.80        -12.03
2    6     -19.46        30.71         6.89        -17.92
3   17      50.53        17.70        -4.61        -16.09
4   27      38.05        24.96         3.18        -15.68
5   36     -82.75         6.27         0.97         -2.72
単レンズデータ
レンズ  始面  焦点距離
1       1   -311.10
2       2    211.92
3       4    160.72
4       6    -42.81
5       8    -74.50
6      10    -29.04
7      11     39.61
8      13    155.73
9      15   -166.64
10      18   -214.70
11      19     38.64
12      21     94.21
13      23   -116.28
14      25   -216.45
15      27     47.80
16      29     47.26
17      31    -66.05
18      33    -23.70
19      34     25.62
20      36    -33.18
21      37     55.11
フォーカス
広角
無限遠 至近(380mm)
d5     3.87   1.11
中間
無限遠 至近(380mm)
d5     16.60  13.10
望遠
無限遠 至近(380mm)
d5     34.15  29.08
【００８５】
【表１】
2018197774.tif 000003
【符号の説明】
【００８６】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＬＲ  後群      Ｌｎ  後群ＬＲの最も像側のレンズ群
【図１】
2018197774.tif 000004
【図２】
2018197774.tif 000005
【図３】
2018197774.tif 000006
【図４】
2018197774.tif 000007
【図５】
2018197774.tif 000008
【図６】
2018197774.tif 000009
【図７】
2018197774.tif 000010
【図８】
2018197774.tif 000011
【図９】
2018197774.tif 000012